(57)【要約】【課題】便器洗浄タンクの底部の貫通孔に取り付けられた管状部材であるトイレ用接続管と排水口形成部材との間のシールを確実にするトイレ用接続管及び便器装置を提供すること。【解決手段】筒状部４６４と、筒状部４６４の外周面に形成された雄ねじ部４６４１と、を備え、雄ねじ部４６４１は、２分され隣り合った第１雄ねじ部４６４２と第２雄ねじ部４６４３とを有し、第１雄ねじ部４６４２と第２雄ねじ部４６４３の間にはＯリング２６ｂが配置されるトイレ用接続管４６である。【選択図】図５
2019190249.tif 000002
【特許請求の範囲】
【請求項１】
筒状部と、
前記筒状部の外周面に形成された雄ねじ部と、を備え、
前記雄ねじ部は、２分され隣り合った第１雄ねじ部と第２雄ねじ部とを有し、前記第１雄ねじ部と前記第２雄ねじ部の間にはＯリングが配置されるトイレ用接続管。
【請求項２】
前記筒状部の軸方向における前記第１雄ねじ部と前記第２雄ねじ部との間の長さは、前記Ｏリングの線径よりも長い請求項１に記載のトイレ用接続管。
【請求項３】
前記第１雄ねじ部には第１ナットが螺合されて固定され、
前記筒状部の軸方向において、前記第１ナットの内面に形成された雌ねじ部の高さは前記第１雄ねじ部と前記第２雄ねじ部との間の長さよりも大きい請求項２に記載のトイレ用接続管。
【請求項４】
便器本体と、前記便器本体の上方に配置される洗浄水タンクと、を備える便器装置の前記洗浄水タンクの底部に設けられ、前記Ｏリングを介して、排水口が形成された排水口形成部材を支持する請求項１〜請求項３のいずれかに記載のトイレ用接続管。
【請求項５】
便器本体と、
前記便器本体の上方に配置される洗浄水タンクと、
前記洗浄水タンクに設けられたトイレ用接続管と、
前記トイレ用接続管の外周面に形成された雄ねじ部と、
前記トイレ用接続管の内周面に設けられたＯリングと、
排水口が形成され、前記Ｏリングを介して前記トイレ用接続管に支持される排水口形成部材と、を備え、
前記雄ねじ部は、２分され隣り合った第１雄ねじ部と第２雄ねじ部とを有し、前記第１雄ねじ部と前記第２雄ねじ部の間には前記Ｏリングが配置される便器装置。
【請求項６】
前記洗浄水タンクは、ブロー成形により成形された樹脂材料によって構成されている請求項５に記載の便器装置。
【請求項７】
便器本体と、前記便器本体の上方に配置される洗浄水タンクと、を備える便器装置に設けられるトイレ用接続管であって、
筒状部と、
前記筒状部の外周面に形成された雄ねじ部と、を備え、
前記筒状部の径方向において、前記筒状部の内周面に配置されたＯリングに対向する前記筒状部の外周面の部分は、前記雄ねじ部が形成されていない外周面部を有し、
前記雄ねじ部は、前記筒状部の軸方向において前記外周面部によって少なくとも２分された第１雄ねじ部と第２雄ねじ部とを有するトイレ用接続管。
【発明の詳細な説明】
【技術分野】
【０００１】
本発明は、トイレ用接続管及び便器装置に関する。
【背景技術】
【０００２】
従来、便器洗浄タンクと、便器洗浄タンクの底部に取り付けられ排水口が形成された排水口形成部材と、を備える便器装置が知られている（例えば、特許文献１参照）。便器洗浄タンクの底部には、筒状の開口部が形成されており、筒状の開口部の内部には、排水口が形成された排水口形成部材がＯリングを介して固定される。
【先行技術文献】
【特許文献】
【０００３】
【特許文献１】特許第５３５４５２１号公報
【発明の概要】
【発明が解決しようとする課題】
【０００４】
特許文献１に記載されている便器洗浄タンクは、金型において樹脂が射出成形されて構成されるが、便器洗浄タンクの薄型化の要求により、ブロー成形により便器洗浄タンクが成形されることが考えられる。
【０００５】
しかし、ブロー成形により便器洗浄タンクを成形する場合には、便器洗浄タンクの底部に、排水口が形成された排水口形成部材を保持するための、筒状の開口部を形成することはできず、貫通孔が形成される。このため、ブロー成形により便器洗浄タンクを成形する場合には、便器洗浄タンクの底部に形成された貫通孔に、排水口が形成された排水口形成部材を保持するための管状部材（筒状の部材）を取り付ける必要がある。しかし、管状部材を便器洗浄タンクの底部に固定するために管状部材の外周面に雄ねじが形成されると、偏肉により、管状部材の外周面にいわゆる「ヒケ」により変形が生じて、Ｏリングによる、管状部材の内周面と排水口形成部材との間のシールを確実とすることができなくなる。
【０００６】
本発明は、便器洗浄タンクの底部の貫通孔に取り付けられた管状部材であるトイレ用接続管と排水口形成部材との間のシールを確実にするトイレ用接続管及び便器装置を提供することを目的とする。
【課題を解決するための手段】
【０００７】
本発明は、筒状部（例えば、後述の筒状部４６４）と、前記筒状部の外周面に形成された雄ねじ部（例えば、後述の雄ねじ部４６４１）と、を備え、前記雄ねじ部は、２分され隣り合った第１雄ねじ部（例えば、後述の第１雄ねじ部４６４２）と第２雄ねじ部（例えば、後述の第２雄ねじ部４６４３）とを有し、前記第１雄ねじ部と前記第２雄ねじ部の間にはＯリング（例えば、後述のＯリング２６ｂ）が配置されるトイレ用接続管に関する。
【０００８】
また、前記筒状部の軸方向における前記第１雄ねじ部と前記第２雄ねじ部との間の長さ（例えば、後述の高さＬ１）は、前記Ｏリングの線径（例えば、後述の高さＬ２）よりも長いことが好ましい。
【０００９】
また、前記第１雄ねじ部には第１ナット（例えば、後述の締付けナット４６ｂ）が螺合されて固定され、前記第１ナットの内面に形成された雌ねじ部の高さ（例えば、後述の高さＬ３）は前記第１雄ねじ部と前記第２雄ねじ部との間の長さよりも大きいことが好ましい。
【００１０】
また、便器本体（例えば、後述の便器本体２１）と、前記便器本体の上方に配置される洗浄水タンク（例えば、後述の便器洗浄タンク４）と、を備える便器装置（例えば、後述の便器装置１）の前記洗浄水タンクの底部に設けられ、前記Ｏリングを介して、排水口（例えば、後述の排水口２６ｆ）が形成された排水口形成部材（例えば、後述の接続ソケット２６）を支持することが好ましい。
【００１１】
また、本発明は、便器本体（例えば、後述の便器本体２１）と、前記便器本体の上方に配置される洗浄水タンク（例えば、後述の便器洗浄タンク４）と、前記洗浄水タンクに設けられたトイレ用接続管（例えば、後述の弁座シート４６）と、前記トイレ用接続管の外周面に形成された雄ねじ部（例えば、後述の雄ねじ部４６４１）と、前記トイレ用接続管の内周面に設けられたＯリング（例えば、後述のＯリング２６ｂ）と、排水口（例えば、後述の排水口２６ｆ）が形成され、前記Ｏリングを介して前記トイレ用接続管に支持される排水口形成部材（例えば、後述の接続ソケット２６）と、を備え、前記雄ねじ部は、２分され隣り合った第１雄ねじ部（例えば、後述の第１雄ねじ部４６４２）と第２雄ねじ部（例えば、後述の第２雄ねじ部４６４３）とを有し、前記第１雄ねじ部と前記第２雄ねじ部の間にはＯリング（例えば、後述のＯリング２６ｂ）が配置される便器装置に関する。
【００１２】
また、前記洗浄水タンクは、ブロー成形により成形された樹脂材料によって構成されていることが好ましい。
【００１３】
また、本発明は、便器本体（例えば、後述の便器本体２１）と、前記便器本体の上方に配置される洗浄水タンク（例えば、後述の便器洗浄タンク４）と、を備える便器装置（例えば、後述の便器装置１）に設けられるトイレ用接続管（例えば、後述の弁座シート４６）であって、筒状部（例えば、後述の筒状部４６４）と、前記筒状部の外周面に形成された雄ねじ部（例えば、後述の雄ねじ部４６４１）と、を備え、前記筒状部の径方向において、前記筒状部の内周面に配置されたＯリング（例えば、後述のＯリング２６ｂ）に対向する前記筒状部の外周面の部分は、前記雄ねじ部が形成されていない外周面部（例えば、後述の外周面部４６４４）を有し、前記雄ねじ部は、前記筒状部の軸方向において前記外周面部によって少なくとも２分された第１雄ねじ部（例えば、後述の第１雄ねじ部４６４２）と第２雄ねじ部（例えば、後述の第２雄ねじ部４６４３）とを有するトイレ用接続管に関する。
【発明の効果】
【００１４】
本発明によれば、便器洗浄タンクの底部の貫通孔に取り付けられた管状部材であるトイレ用接続管と排水口形成部材との間のシールを確実にするトイレ用接続管及び便器装置を提供することができる。
【図面の簡単な説明】
【００１５】
【図１】本発明に係る便器装置の斜視図である。
【図２】本発明に係る便器装置の便器洗浄装置の一部を分解して示す斜視図である。
【図３】本発明に係る便器装置の便器洗浄タンクと便器本体との接続構造を説明する断面図である。
【図４】本発明に係る便器装置の便器洗浄タンクと便器本体との接続構造を説明する拡大断面図である。
【図５】本発明に係る便器装置の弁座シートを示す側面図である。
【図６】本発明に係る便器装置の弁座シートに締付けナットが取り付けられた様子を示す側面図である。
【図７】本発明に係る便器装置の弁座シートを示す下方斜視図である。
【発明を実施するための形態】
【００１６】
以下、本発明の実施形態について図面を参照して詳細に説明する。
本実施形態に示す便器装置１は、図１に示すように、便器２と、便器洗浄装置３と、を備えている。なお、以下の説明において、便器２に着座した使用者から見た場合の前後の向きを前後方向とする。また、便器２に着座した使用者から見た場合の左右の向きを幅方向とする。更に、便器２が設置される床面に対する鉛直方向に沿う上下の向きを上下方向とする。
【００１７】
便器２は、便器本体２１の上部に回動可能に取り付けられた便座２２及び便蓋２３と、便座装置の機能部２４と、を有している。この便器２は、フラッシュバルブ式の便器であり、図２及び図３に示すように、便器本体２１の後部の上面２１ａに、上方に突出するスパッド２５を有している。スパッド２５は、図３に示すように、便器本体２１に形成された洗浄水流入口２１ｂに、パッキン２５ａ及びナット２５ｂを介して取り付けられている。
【００１８】
便器洗浄装置３は、図１に示すように、便器洗浄タンク４と、便器洗浄タンク４を覆うタンクカバー５と、を有している。タンクカバー５の側面には、洗浄操作用のレバーハンドル５ａが設けられている。
便器洗浄タンク４は、図２に示すように、タンク本体４１と、内蓋４２と、ベースプレート４３と、防露材４４と、補強フレーム４５と、を備えている。なお、図２では、便座２２、便蓋２３、機能部２４、レバーハンドル５ａの図示を省略している。
【００１９】
タンク本体４１は、ブロー成形品であり、ブロー成形により成形された樹脂部材により構成されている。このタンク本体４１は、射出成形品のような離型のための抜き勾配を上下方向に設ける必要がないため、タンク本体４１の外周面は、上下方向に沿って真っ直ぐな面となり、床面に対して垂直に延びた側壁面を構成することができる。このため、抜き勾配に起因するタンク容積の減少が少なく、射出成形品に比べてタンク容積を大きく確保することが可能である。タンク本体４１の内部には洗浄水が貯留されると共に、便器洗浄用の公知の内部部品（図示せず）が収容されている。
内蓋４２は、タンク本体４１の上部を被蓋するようにタンク本体４１に対してねじ止めされている。
【００２０】
ベースプレート４３は、タンク本体４１の下部に取り付けられている。ベースプレート４３は、タンク本体４１よりも硬質な樹脂によって形成され、タンク本体４１の底面形状に略等しい平面形状を有している。
【００２１】
タンク本体４１とベースプレート４３との取付け構造を図３に示す。図３に示すように、タンク本体４１の底面４１１に、円形の貫通孔である下面開口部４１２が形成されている。この下面開口部４１２には、接続管としての略円筒状の弁座シート４６が貫通して固定され装着されている。弁座シート４６は、タンク本体４１の内部部品の一つであるフラッパー弁（図示せず）の弁座を構成する部品であり、下面開口部４１２よりも大径なフランジ部４６１を有している。弁座シート４６は、フランジ部４６１とタンク本体４１との間に平パッキン４６ａを挟むようにして、タンク本体４１の内側から装着されている。弁座シート４６は、フランジ部４６１よりも下方側に、外周面に雄ねじ部４６４１（図５等参照）を有する円筒部４６２を一体に有し、この円筒部４６２が下面開口部４１２から下方に突出している。弁座シート４６は、下面開口部４１２から突出する円筒部４６２に、タンク本体４１の外側から締付けナット４６ｂが螺合することにより、タンク本体４１に取り付けられている。
【００２２】
一方、ベースプレート４３の中央部には、円形の開口部４３１が設けられ、この開口部４３１に、タンク本体４１の下面から突出する弁座シート４６の円筒部４６２が貫挿されている。
そして、この開口部４３１から下方に突出する円筒部４６２に締付けナット４６ｃが螺合することにより、ベースプレート４３が締付けナット４６ｃとタンク本体４１との間で挟着されている。これにより、タンク本体４１の下部にベースプレート４３が固定される。
【００２３】
ベースプレート４３の下面には、弁座シート４６の円筒部４６２を挟むように、一対の突出部４３２が設けられ、この突出部４３２から、それぞれ緊締ボルト４３３が下方に向けて突出して設けられている。突出部４３２は、タンク本体４１の下部から突出する弁座シート４６の円筒部４６２の突出高さと同程度の突出高さを有している。緊締ボルト４３３は、便器本体２１の上面２１ａに載置されるタンク取付けプレート６を固定している。
【００２４】
タンク取付けプレート６は、矩形の平板状のプレート本体６１と、プレート本体６１の上面から上方に向けて突出する一対のボルト取付け脚部６２と、を有している。プレート本体６１には、一対のボルト取付け脚部６２の間に円形の開口部６３が設けられている。一対のボルト取付け脚部６２は、ベースプレート４３の一対の突出部４３２の位置に対応して設けられている。ボルト取付け脚部６２は、便器本体２１の上面２１ａからのスパッド２５の突出高さと同程度の突出高さを有している。
【００２５】
ベースプレート４３の一対の緊締ボルト４３３は、このタンク取付けプレート６の一対のボルト取付け脚部６２に、ナット４３３ａによってそれぞれ固定される。これにより、ベースプレート４３の一対の突出部４３２の先端とタンク取付けプレート６の一対のボルト取付け脚部６２の先端とが当接し、ベースプレート４３にタンク取付けプレート６が固定される。タンク取付けプレート６は、開口部６３にスパッド２５を貫挿させて便器本体２１の後部側の上面２１ａに載置される。このとき、ベースプレート４３の下面（便器洗浄タンク４の下面）４３ａは、スパッド２５よりも上方に配置され、ベースプレート４３とタンク取付けプレート６のプレート本体６１との間には、スパッド２５の全体を十分に収容可能な高さが確保される。
【００２６】
図３に示すように、タンク本体４１の下部から突出する弁座シート４６の円筒部４６２と、便器本体２１の上面２１ａから突出するスパッド２５とは、内部にタンク本体４１の排水口２６ｆが形成された排水口形成部材としての円筒状の接続ソケット２６によって接続されている。接続ソケット２６の下端側は、スパッド２５の内側に挿入され、袋ナット２６ａにより固定されている。接続ソケット２６の上端側は、弁座シート４６の円筒部４６２の内側に、Ｏリング２６ｂによって水密状に挿入されている。これにより、タンク本体４１内の洗浄水が、弁座シート４６の円筒部４６２、接続ソケット２６及びスパッド２５を経由して、便器本体２１に供給される。
【００２７】
タンク取付けプレート６は、図２に示すように、便器本体２１の後部側の上面２１ａに設けられる一対の便座取付け穴２１ｃに対応する一対の貫通穴６４を有している。タンク取付けプレート６は、貫通穴６４が便座取付け穴２１ｃに合致するように、便器本体２１の上面２１ａに載置される。そして、便座装置の機能部２４の下面に突設される図示しない一対の取付けボルトが、タンク取付けプレート６の貫通穴６４を貫通して便器本体２１の便座取付け穴２１ｃに挿入され、便器本体２１を挟んでナット（図示せず）によって締め付けられることにより、機能部２４が便器本体２１に固定される。これにより、タンク取付けプレート６は、機能部２４と便器本体２１との間で挟持され、タンク取付けプレート６上の便器洗浄タンク４が便器本体２１に固定される。このとき、ベースプレート４３とタンク取付けプレート６のプレート本体６１との間には、スパッド２５の全体を十分に収容可能な高さが確保されているため、ベースプレート４３と便器本体２１の上面２１ａ（タンク取付けプレート６のプレート本体６１）との間に、スパッド２５に対してアクセス可能な空間部が形成される。
【００２８】
ここで、「スパッドに対してアクセス可能」とは、スパッド２５及びスパッド２５の周囲の部品（弁座シート４６の円筒部４６２、締付けナット４６ｃ、接続ソケット２６、袋ナット２６ａ、ナット２５ｂ、緊締ボルト４３３、ナット４３３ａ等）の状況を直接目視可能であることのみならず、スパッド２５及びスパッド２５の周囲の部品に対して直接的に操作可能であることを含む。スパッド２５及びスパッド２５の周囲の部品に対する直接的な操作としては、便器洗浄タンク４の取り付け又は取り外しのために、接続ソケット２６を固定する袋ナット２６ａや緊締ボルト４３３のナット４３３ａを、工具を用いて回動操作することを含む。
【００２９】
防露材４４は、発泡スチロール樹脂等により、タンク本体４１の外周面に沿う形状に成形されている。本実施形態に示す防露材４４は、タンク本体４１を前後方向から挟むように装着されている。
【００３０】
補強フレーム４５は、図２に示すように、便器洗浄タンク４の両側面に配置される金属製の側面フレーム部材４５１と、便器洗浄タンク４の前面側に幅方向に延びるように配置される金属製の補強ステー４５２と、を有している。補強ステー４５２の両端部は、左右の側面フレーム部材４５１に連結されている。側面フレーム部材４５１は、ベースプレート４３の幅方向の両端面４３ｂ（図３参照）に対してそれぞれねじ止めされている。側面フレーム部材４５１は平面視コ字型に形成されている。
【００３１】
補強フレーム４５は、使用者が便器洗浄装置３に凭れ掛かった際に、その荷重を受けてタンク本体４１に荷重を直接作用させないように機能する。補強ステー４５２に作用する荷重は、補強ステー４５２の両端部から各側面フレーム部材４５１に伝達される。側面フレーム部材４５１は、タンク本体４１よりも堅牢なベースプレート４３に固定されているため、補強ステー４５２から伝達される荷重を効果的に受け止めることができる。
【００３２】
タンクカバー５は、便器洗浄タンク４の前方を覆う前カバー５１と、便器洗浄タンク４の側方及び後方を覆う後カバー５２と、便器洗浄タンク４の上方を覆う上カバー５３と、を有している。後カバー５２は、便器洗浄タンク４の両側方にそれぞれ設けられた側面フレーム部材４５１に対してねじ止めされる。前カバー５１と上カバー５３は、後カバー５２に対して着脱可能に取り付けられる。前カバー５１及び後カバー５２は、図１に示すように、便器洗浄タンク４の前方、側方及び後方を完全に覆っている。これにより、便器洗浄タンク４と接続されるスパッド２５の周囲は、前カバー５１及び後カバー５２によって覆われるため、スパッド２５が外部に露出せず、意匠性が向上する。前カバー５１は、後カバー５２に対して上下にスライド移動可能に取り付けられている。
【００３３】
次に、弁座シート４６の詳細について説明する。弁座シート４６は、樹脂製であり、図５等に示すように、上部流入部４６３と、筒状部４６４とを有している。
【００３４】
上部流入部４６３は、主流入筒部４６３１と、オーバーフロー管接続筒部４６３２と、を有している。主流入筒部４６３１は、上端縁が円筒を斜めに切ったような形状の開口部４６３１ａを有する円筒形状に形成されている。主流入筒部４６３１の下端部は、筒状部４６４の上端部と一体成形されることにより接続されている。主流入筒部４６３１の下端部よりも上寄りの部分には、主流入筒部４６３１の径方向外方へ突出するフランジ部４６１が設けられている。
【００３５】
主流入筒部４６３１の中間部の側面には、オーバーフロー管接続筒部４６３２が接続されている。オーバーフロー管接続筒部４６３２は、主流入筒部４６３１の径方向外方へ向かって、主流入筒部４６３１の中間部の側面から延び、その後主流入筒部４６３１の軸心に平行に、主流入筒部４６３１の上端部よりも上方の位置に至るまで延びている。
【００３６】
筒状部４６４は、円筒形状に形成されている。筒状部４６４の外周面には、雄ねじ部４６４１が形成されており、筒状部４６４の内周面には雄ねじ等が形成されておらず、円筒形状の筒状部４６４の内周面の曲面がそのまま残っている内周面部４６４６（図７参照）により構成されている。雄ねじ部４６４１は、それぞれ同一のピッチ、外径、有効性、谷の径、ねじ山の角度、及び、ねじれ角を有する第１雄ねじ部４６４２と第２雄ねじ部４６４３とを有している。従って、後述の第１ナットとしての締付けナット４６ｂは、第２雄ねじ部４６４３に螺合して上方向に移動したのちに、第１雄ねじ部４６４２に螺合可能である。
【００３７】
図５に示すように、第１雄ねじ部４６４２は、第２雄ねじ部４６４３よりも上側、即ち、上部流入部４６３に近い側に位置している。第１雄ねじ部４６４２と第２雄ねじ部４６４３との間の部分は、雄ねじ部４６４１が形成されておらず、円筒形状の筒状部４６４の外周面の曲面がそのまま残っている外周面部４６４４により構成されている。
【００３８】
第１雄ねじ部４６４２には、締付けナット４６ｂが螺合されて固定される。具体的には、第１雄ねじ部４６４２の上端部には、第１雄ねじ部４６４２の上端部から第１雄ねじ部４６４２の径方向外方へ突出する第１ナットフランジ部４６６ｂが設けられている。図４に示すように、第１ナットフランジ部４６６ｂの上面は、タンク本体４１の底面の下面（外面）に当接している。タンク本体４１の底面の上面（内面）は、貫通孔の周囲を取り巻くように配置された平パッキン４６ａの下面に当接している。平パッキン４６ａの上面は、フランジ部４６１の下面に当接している。従って、第１雄ねじ部４６４２に締付けナット４６ｂが螺合されて固定されることによって、第１ナットフランジ部４６６ｂとフランジ部４６１とによって、タンク本体４１の底面と平パッキン４６ａとが挟まれるようにして、タンク本体４１の底面に弁座シート４６が固定されている。
【００３９】
第２雄ねじ部４６４３には、第２ナットとしての締付けナット４６ｃが螺合されて固定される。具体的には、第２雄ねじ部４６４３の上端部には、第２雄ねじ部４６４３の上端部から第２雄ねじ部４６４３の径方向外方へ突出する第２ナットフランジ部４６６ｃが設けられている。図４に示すように、第２ナットフランジ部４６６ｃの上面は、ベースプレート４３の底面の下面に当接している。これにより、ベースプレート４３は第２ナットフランジ部４６６ｃを介して弁座シート４６によって支持されている。
【００４０】
図４に示すように、弁座シート４６の内周面により取囲まれる弁座シート４６の内部空間には、接続ソケット２６が設けられている。接続ソケット２６は、それぞれ筒形状に形成された上部被支持部２６１と下部筒状部２６２とを有している。上部被支持部２６１の内周面は、上部被支持部２６１における最も上側に位置する部分において内径が最も大きく、その下側において上側の内径よりも内径が少し小さく、更に、その下側においてそのすぐ上側の内径から徐々に内径が小さくなる縮径部２６１ａを有している。
【００４１】
上部被支持部２６１の外周面には、上部被支持部２６１の外周面を一周するように形成されたＯリング係合溝が形成されており、Ｏリング係合溝には、Ｏリング２６ｂが嵌合し上部被支持部２６１に対して固定されている。
【００４２】
Ｏリング係合溝に嵌合しているＯリング２６ｂの位置は、図５に示すように、筒状部４６４の径方向において、雄ねじ部４６４１が形成されていない外周面部４６４４に対向する位置である。即ち、筒状部４６４の軸方向（図５における上下方向）において、Ｏリング２６ｂの上端から下端に至るまで、雄ねじ部４６４１が形成されていない外周面部４６４４が対向する位置関係になっている。弁座シート４６の内周面と接続ソケット２６の上部被支持部２６１との間がＯリング２６ｂによってシールされた状態で、接続ソケット２６は弁座シート４６に支持されている。
【００４３】
図５に示すように、筒状部４６４の軸方向（図５における上下方向）における、第１雄ねじ部４６４２と第２雄ねじ部４６４３との間の雄ねじ部４６４１が形成されておらず円筒形状の筒状部４６４の外周面の曲面がそのまま残っている外周面部４６４４の長さＬ１は、Ｏリング２６ｂの線径Ｌ２（筒状部４６４の軸方向におけるＯリング２６ｂ厚さ）よりも長い。また、筒状部４６４の軸方向における締付けナット４６ｂの内面に形成された雌ねじ部の高さ（ナット４６ｂの内面に形成された雌ねじ部の最上部と最下部との間の高さ）Ｌ３（図６参照）は、筒状部４６４の軸方向における外周面部４６４４の長さＬ１（図５参照）よりも大きい。
【００４４】
図４に示すように、下部筒状部２６２は円筒形状を有しており、下部筒状部２６２の上端部は、上部被支持部２６１の下端部に一体成形されることにより接続されている。下部筒状部２６２の下部は、スパッド２５に接続されている。
【００４５】
以上説明した本実施形態の便器装置１によれば、以下のような効果を奏する。
本実施形態のトイレ用接続管としての弁座シート４６は、筒状部４６４と、筒状部４６４の外周面に形成された雄ねじ部４６４１と、を備える。筒状部４６４の径方向において、筒状部４６４の内周面に配置されたＯリング２６ｂに対向する筒状部４６４の外周面の部分は、雄ねじ部４６４１が形成されていない外周面部４６４４を有している。雄ねじ部４６４１は、２分され隣り合った第１雄ねじ部４６４２と第２雄ねじ部４６４３とを有し、前記第１雄ねじ部４６４２と前記第２雄ねじ部４６４３の間にはＯリング２６ｂが配置される。
【００４６】
また、本実施形態の便器装置１００は、便器本体２１と、便器本体２１の上方に配置される便器洗浄タンク４と、便器洗浄タンク４に設けられた接続管としての弁座シート４６と、弁座シート４６の外周面に形成された雄ねじ部４６４１と、弁座シート４６の内周面に設けられたＯリング２６ｂと、排水口が形成され、Ｏリング２６ｂを介して弁座シート４６に支持される接続ソケット２６と、を備えている。
弁座シート４６の径方向においてＯリング２６ｂに対向する弁座シート４６の外周面の部分は、雄ねじ部４６４１が形成されていない外周面部４６４４を有する。雄ねじ部４６４１は、弁座シート４６の軸方向において外周面部４６４４によって少なくとも２分された第１雄ねじ部４６４２と第２雄ねじ部４６４３とを有する。
【００４７】
そして、弁座シート４６は、便器洗浄タンク４の底部に設けられ、Ｏリング２６ｂを介して、排水口が形成された接続ソケット２６を支持する。
【００４８】
そのため、Ｏリング２６ｂに対向する筒状部４６４の外周面には雄ねじ部が形成されていないため、樹脂製の弁座シート４６においてＯリング２６ｂに対向する部分にヒケが生じることを抑えることが可能となる。このため、弁座シート４６と接続ソケット２６との間において、確実にＯリング２６ｂによるシールを行うことができる。
【００４９】
また、筒状部４６４の軸方向における外周面部４６４４の長さＬ１は、Ｏリング２６ｂの線径Ｌ２よりも長い。そのため、Ｏリング２６ｂが当接してシールする弁座シート４６の内面において、ヒケによる変形が生ずることを確実に抑えることができる。この結果、Ｏリング２６ｂによるシールをより確実に行うことができる。
【００５０】
また、第１雄ねじ部４６４２には締付けナット４６ｂが螺合されて固定され、筒状部４６４の軸方向において、締付けナット４６ｂの内面に形成された雌ねじ部の高さＬ３は外周面部４６４４の長さＬ１よりも大きい。
【００５１】
そのため、締付けナット４６ｂを第２雄ねじ部４６４３に螺合させて回転させて上方向に移動させて、外周面部４６４４を通過させた後に、更に回転させて、締付けナット４６ｂの下部が第２雄ねじ部４６４３に螺合した状態で、締付けナット４６ｂの上部を第１雄ねじ部４６４２に螺合させることができる。即ち、締付けナット４６ｂが第１雄ねじ部４６４２と第２雄ねじ部４６４３との間において第１雄ねじ部４６４２と第２雄ねじ部４６４３のいずれにも螺合していない状態となることを防止できる。
【００５２】
このため、締付けナット４６ｂを第１雄ねじ部４６４２に螺合させようとするときに、第１雄ねじ部４６４２と第２雄ねじ部４６４３との間の外周面部４６４４の位置で空回りをして、第１雄ねじ部４６４２に螺合しにくくなることを防止することができる。この結果、締付けナット４６ｂの第１雄ねじ部４６４２への組付けをスムーズにすることができる。
【００５３】
便器洗浄タンク４は、ブロー成形により成形された樹脂材料によって構成されている。そのため、便器洗浄タンク４の底部には、排水口２６ｆが形成された接続ソケット２６を支持する筒状の部分を形成することができず貫通孔による開口部４１２が形成されるのであるが、このような貫通孔に弁座シート４６を固定して、接続ソケット２６を固定することが可能となる。
【００５４】
以上、本発明の便器装置の好ましい実施形態について説明したが、本発明は、上述した実施形態に制限されるものではなく、適宜変更が可能である。例えば、接続管としての弁座シート４６は、便器洗浄タンク４の底部に固定されて、接続ソケット２６を支持するために用いられたが、この構成に限定されない。即ち、接続管は、洗浄水タンクの底部以外の部分に用いられてもよく、また、洗浄水タンク以外の部分に用いられてもよい。
また、接続管により支持されるものは、接続ソケット２６でなくてもよい。また、雄ねじ部４６４１は、第１雄ねじ部４６４２と第２雄ねじ部４６４３との２つの雄ねじ部を有していたが、この構成に限定されない。また、第１雄ねじ部４６４２と第２雄ねじ部４６４３とは、それぞれ第１雄ねじ部４６４２を螺合可能に構成されていたが、この構成に限定されない。
【００５５】
また、本実施形態では、便器装置１は、便器２が床面ｆ１に設置される床置きタイプの便器装置であったが、これに限定されない。例えば、いわゆる壁掛け式の便器装置であってもよい。この場合には、接続ソケットは下部筒状部を有しておらず、壁側から延び途中で上方向に屈曲して上方向に延びる洗浄管の上端部が、接続ソケットの上部被支持部に下側から挿入され、ナットにより上部被支持部に固定される。
【符号の説明】
【００５６】
１  便器装置
４  便器洗浄タンク（洗浄水タンク）
２１  便器本体
２６  接続ソケット（排水口形成部材）
２６ｂ  Ｏリング
４６  弁座シート（トイレ用接続管）
４６ｂ  締付けナット（第１ナット）
４１２  下面開口部（開口部）
４６４  筒状部
４６４１  雄ねじ部
４６４２  第１雄ねじ部
４６４３  第２雄ねじ部
４６４４  外周面部
Ｌ１  外周面部の長さ
Ｌ２  Ｏリングの線径
Ｌ３  第１ナットの内面に形成された雌ねじ部の高さ
【図１】
2019190249.tif 000003
【図２】
2019190249.tif 000004
【図３】
2019190249.tif 000005
【図４】
2019190249.tif 000006
【図５】
2019190249.tif 000007
【図６】
2019190249.tif 000008
【図７】
2019190249.tif 000009